(57)【特許請求の範囲】
【請求項１】
ブロードキャスト、マルチキャスト、またはユニキャスト情報を受信するために無線通信システムにおいて物理ダウンリンク制御チャネル（ＰＤＣＣＨ）をモニタするための方法であって、
複数のキャリア上で分散されるデコーディング候補のマッピングを制限する物理ダウンリンク制御チャネル（ＰＤＣＣＨ）についての制約にアクセスすることと、ここで、前記制約は、共通サーチスペースを前記複数のキャリアのうちの選択された１つに分散させ、ユーザ機器専用サーチスペースを前記複数のキャリアのうちの別の選択された１つに分散させる、
前記制約にしたがって、デコーディング候補の縮小セットをモニタすることと、
前記デコーディング候補の縮小セットをブラインドデコードすることと、
を備える方法。
【請求項２】
前記制約は、サーチスペースのための選択されたアグリゲーションレベルを前記複数のキャリアのうちの選択された１つでモニタさせる、請求項１に記載の方法。
【請求項３】
前記制約は、サーチスペースとアグリゲーションレベルに関して選択されたデコーディング候補を前記複数のキャリアのうちの選択された１つに分散させる、請求項１に記載の方法。
【請求項４】
ユーザ機器ベースでデコーディング候補を分散させる前記制約にアクセスすること、をさらに備える請求項１に記載の方法。
【請求項５】
セルあたりのベースでデコーディング候補を分散させる前記制約にアクセスすること、をさらに備える請求項１に記載の方法。
【請求項６】
サブフレームインデクスに基づいて分散を導き出すことによって前記制約にアクセスすること、をさらに備える請求項１に記載の方法。
【請求項７】
前記物理ダウンリンク制御チャネル（ＰＤＣＣＨ）の分散は半静的に生じる、請求項１に記載の方法。
【請求項８】
前記物理ダウンリンク制御チャネル（ＰＤＣＣＨ）の分散は経時的にホップで生じる、請求項１に記載の方法。
【請求項９】
同時に２つ以上のキャリアをモニタする必要を回避する前記制約にアクセスすること、をさらに備える請求項１に記載の方法。
【請求項１０】
前記デコーディング候補を、シングルキャリアに可能なデコーディング候補の数に対応する数に制限する前記制約にアクセスすること、をさらに備える請求項１に記載の方法。
【請求項１１】
シングルキャリアのデコーディング候補のより下の数Ｌと、前記シングルキャリアのより下の数Ｌとモニタされた複数のキャリアＭの数との積より上の数Ｕと、の範囲内で、前記デコーディング候補を合計数Ｎに制限する前記制約にアクセスすること、をさらに備える請求項１に記載の方法。
【請求項１２】
キャリアにわたって均一に分散される前記デコーディング候補の縮小セットをモニタすること、をさらに備える請求項１に記載の方法。
【請求項１３】
キャリアにわたって非均一に分散される前記デコーディング候補の縮小セットをモニタすること、をさらに備える請求項１に記載の方法。
【請求項１４】
シングルキャリアに対応するデコーディング候補の合計数を有するように前記複数のキャリアのデコーディング候補の合計数を制限する前記制約にアクセスすること、をさらに備える請求項１に記載の方法。
【請求項１５】
ブロードキャスト、マルチキャスト、またはユニキャスト情報を受信するために無線通信システムにおいて物理ダウンリンク制御チャネル（ＰＤＣＣＨ）をモニタするためのコンピュータプログラムであって、
コンピュータに、複数のキャリア上で分散されるデコーディング候補のマッピングを制限する物理ダウンリンク制御チャネル（ＰＤＣＣＨ）についての制約にアクセスさせるための第１セットの命令と、ここで、前記制約は、共通サーチスペースを前記複数のキャリアのうちの選択された１つに分散させ、ユーザ機器専用サーチスペースを前記複数のキャリアのうちの別の選択された１つに分散させる、
前記コンピュータに、前記制約にしたがって、デコーディング候補の縮小セットをモニタさせるための第２セットの命令と、
前記コンピュータに、前記デコーディング候補の縮小セットをブラインドデコードさせるための第３セットの命令と、
を備えるコンピュータプログラム。
【請求項１６】
ブロードキャスト、マルチキャスト、またはユニキャスト情報を受信するために無線通信システムにおいて物理ダウンリンク制御チャネル（ＰＤＣＣＨ）をモニタするための装置であって、
少なくとも１つのプロセッサと；
複数のキャリア上で分散されるデコーディング候補のマッピングを制限する物理ダウンリンク制御チャネル（ＰＤＣＣＨ）についての制約にアクセスするための手段と、ここで、前記制約は、共通サーチスペースを前記複数のキャリアのうちの選択された１つに分散させ、ユーザ機器専用サーチスペースを前記複数のキャリアのうちの別の選択された１つに分散させる、
前記制約にしたがって、デコーディング候補の縮小セットをモニタするための手段と、
前記デコーディング候補の縮小セットをブラインドデコードするための手段と、
を備える、少なくとも１つのプロセッサによって実行されるときにコンポーネントをインプリメントするコンピュータ実行可能命令、を格納する少なくとも１つのコンピュータ読取可能記録媒体と；
を備える装置。
【請求項１７】
ブロードキャスト、マルチキャスト、またはユニキャスト情報を受信するために無線通信システムにおいて物理ダウンリンク制御チャネル（ＰＤＣＣＨ）をモニタするための装置であって、
複数のキャリア上で分散されるデコーディング候補のマッピングを制限する物理ダウンリンク制御チャネル（ＰＤＣＣＨ）についての制約にアクセスするためのコンピューティングプラットフォームと、ここで、前記制約は、共通サーチスペースを前記複数のキャリアのうちの選択された１つに分散させ、ユーザ機器専用サーチスペースを前記複数のキャリアのうちの別の選択された１つに分散させる、
前記制約にしたがって、デコーディング候補の縮小セットをモニタするための受信機と、
前記デコーディング候補の縮小セットをブラインドデコードするためのデコーダと、
を備える装置。
【請求項１８】
前記制約は、サーチスペースのための選択されたアグリゲーションレベルを前記複数のキャリアのうちの選択された１つでモニタさせる、請求項１７に記載の装置。
【請求項１９】
前記制約は、サーチスペースとアグリゲーションレベルに関して選択されたデコーディング候補を前記複数のキャリアのうちの選択された１つに分散させる、請求項１７に記載の装置。
【請求項２０】
前記コンピューティングプラットフォームはさらに、ユーザ機器ベースでデコーディング候補を分散させる前記制約にアクセスするためのものである、請求項１７に記載の装置。
【請求項２１】
前記コンピューティングプラットフォームはさらに、セルあたりのベースでデコーディング候補を分散させる前記制約にアクセスするためのものである、請求項１７に記載の装置。
【請求項２２】
前記コンピューティングプラットフォームはさらに、サブフレームインデクスに基づいて分散を導き出すことによって前記制約にアクセスするためのものである、請求項１７に記載の装置。
【請求項２３】
前記物理ダウンリンク制御チャネル（ＰＤＣＣＨ）の分散は半静的に生じる、請求項１７に記載の装置。
【請求項２４】
前記物理ダウンリンク制御チャネル（ＰＤＣＣＨ）の分散は経時的にホップで生じる、請求項１７に記載の装置。
【請求項２５】
前記コンピューティングプラットフォームはさらに、同時に２つ以上のキャリアをモニタする必要を回避する前記制約にアクセスするためのものである、請求項１７に記載の装置。
【請求項２６】
前記コンピューティングプラットフォームはさらに、前記デコーディング候補を、シングルキャリアに可能なデコーディング候補の数に対応する数に制限する前記制約にアクセスするためのものである、請求項１７に記載の装置。
【請求項２７】
前記コンピューティングプラットフォームはさらに、シングルキャリアのデコーディング候補のより下の数Ｌと、前記シングルキャリアのより下の数Ｌとモニタされた複数のキャリアＭの数との積より上の数Ｕと、の範囲内で、前記デコーディング候補を合計数Ｎに制限する前記制約にアクセスするためのものである、請求項１７に記載の装置。
【請求項２８】
前記受信機はさらに、キャリアにわたって均一に分散される前記デコーディング候補の縮小セットをモニタするためのものである、請求項１７に記載の装置。
【請求項２９】
前記受信機はさらに、キャリアにわたって非均一に分散される前記デコーディング候補の縮小セットをモニタするためのものである、請求項１７に記載の装置。
【請求項３０】
前記コンピューティングプラットフォームはさらに、シングルキャリアに対応するデコーディング候補の合計数を有するように前記複数のキャリアのデコーディング候補の合計数を制限する前記制約にアクセスするためのものである、請求項１７に記載の装置。
【請求項３１】
ブロードキャスト、マルチキャスト、またはユニキャスト情報を送信するために無線通信システムにおいて物理ダウンリンク制御チャネルを送信するための方法であって、
複数のキャリア上で分散されるデコーディング候補のマッピングを制限する物理ダウンリンク制御チャネル（ＰＤＣＣＨ）についての制約にアクセスすることと、ここで、前記制約は、共通サーチスペースを前記複数のキャリアのうちの選択された１つに分散させ、ユーザ機器専用サーチスペースを前記複数のキャリアのうちの別の選択された１つに分散させる、
前記制約にしたがって前記複数のキャリア上で前記物理ダウンリンク制御チャネル（ＰＤＣＣＨ）をマッピングすることと、
デコーディング候補の縮小セットを使用してブラインドデコードするためにユーザ機器（ＵＥ）についてマッピングされているものとして前記物理ダウンリンク制御チャネル（ＰＤＣＣＨ）をエンコードし送信することと、
を備える方法。
【請求項３２】
ブロードキャスト、マルチキャスト、またはユニキャスト情報を送信するために無線通信システムにおいて物理ダウンリンク制御チャネルを送信するためのコンピュータプログラムであって、
コンピュータに、複数のキャリア上で分散されるデコーディング候補のマッピングを制限する物理ダウンリンク制御チャネル（ＰＤＣＣＨ）についての制約にアクセスさせるための第１セットの命令と、ここで、前記制約は、共通サーチスペースを前記複数のキャリアのうちの選択された１つに分散させ、ユーザ機器専用サーチスペースを前記複数のキャリアのうちの別の選択された１つに分散させる、
前記コンピュータに、前記制約にしたがって前記複数のキャリア上で前記物理ダウンリンク制御チャネル（ＰＤＣＣＨ）をマッピングさせるための第２セットの命令と、
前記コンピュータに、デコーディング候補の縮小セットを使用してブラインドデコードするためにユーザ機器（ＵＥ）についてマッピングされているものとして前記物理ダウンリンク制御チャネル（ＰＤＣＣＨ）をエンコードさせ送信させるための第３セットの命令と、
を備える、コンピュータプログラム。
【請求項３３】
ブロードキャスト、マルチキャスト、またはユニキャスト情報を送信するために無線通信システムにおいて物理ダウンリンク制御チャネルを送信するための装置であって、
少なくとも１つのプロセッサと、
複数のキャリア上で分散されるデコーディング候補のマッピングを制限する物理ダウンリンク制御チャネル（ＰＤＣＣＨ）についての制約にアクセスするための手段と、ここで、前記制約は、共通サーチスペースを前記複数のキャリアのうちの選択された１つに分散させ、ユーザ機器専用サーチスペースを前記複数のキャリアのうちの別の選択された１つに分散させる、
前記制約にしたがって前記複数のキャリア上で前記物理ダウンリンク制御チャネル（ＰＤＣＣＨ）をマッピングするための手段と、
デコーディング候補の縮小セットを使用してブラインドデコードするためにユーザ機器（ＵＥ）についてマッピングされているものとして前記物理ダウンリンク制御チャネル（ＰＤＣＣＨ）をエンコードし送信するための手段と、
を備える、少なくとも１つのプロセッサによって実行されるときにコンポーネントをインプリメントするコンピュータ実行可能命令、を格納する少なくとも１つのコンピュータ読取可能記録媒体、
を備える装置。
【請求項３４】
ブロードキャスト、マルチキャスト、またはユニキャスト情報を送信するために無線通信システムにおいて物理ダウンリンク制御チャネルを送信するための装置であって、
複数のキャリア上で分散されるデコーディング候補のマッピングを制限する物理ダウンリンク制御チャネル（ＰＤＣＣＨ）についての制約にアクセスするためのコンピューティングプラットフォームと、ここで、前記制約は、共通サーチスペースを前記複数のキャリアのうちの選択された１つに分散させ、ユーザ機器専用サーチスペースを前記複数のキャリアのうちの別の選択された１つに分散させる、
前記制約にしたがって前記複数のキャリア上で前記物理ダウンリンク制御チャネル（ＰＤＣＣＨ）をマッピングしエンコードするための、マッピング／エンコーダと、
デコーディング候補の縮小セットを使用してブラインドデコードするためにユーザ機器（ＵＥ）についてマッピングされエンコードされているものとして前記物理ダウンリンク制御チャネル（ＰＤＣＣＨ）を送信するための送信機と、
を備える装置。
【請求項３５】
前記コンピューティングプラットフォームはさらに、前記複数のキャリアのうちの選択された少なくとも１つに関する分散を、共通のサーチスペースとユーザ機器特有のサーチスペースのうちの選択された１つに制限する前記制約にアクセスするためである、請求項３４に記載の装置。
【請求項３６】
前記コンピューティングプラットフォームはさらに、前記複数のキャリアのうちの選択された少なくとも１つで、サーチスペースのための選択されたアグリゲーションレベルをモニタする前記制約にアクセスするためである、請求項３４に記載の装置。
【発明の詳細な説明】
【優先権主張】
【０００１】
(米国特許法の下の優先権主張)
[1]  本願は、２００９年５月４日に出願され、ここでの譲受人に譲渡され、参照によりここに組み込まれた、「DOWNLINK CONTROL TRANSMISSION IN MULTICARRIER OPERATION」と題された仮出願番号第６１／１７５，４１１号の優先権を主張する。
【技術分野】
【０００２】
本開示は、一般的には通信に関し、より具体的には無線通信ネットワークにおいて情報を送信するための技術に関する。
【背景技術】
【０００３】
本開示は、一般的には通信に関し、より具体的には無線通信ネットワークにおいて情報を送信するための技術に関する。
【０００４】
第３世代パートナーシッププロジェクト(３ＧＰＰ)のロングタームエボリューション（ＬＴＥ）は、セルラ技術の大きな発展を表しており、モバイル通信のためのグローバルシステム（ＧＳＭ（登録商標））とユニバーサルモバイルテレコミュニケーションシステム（ＵＭＴＳ）の自然進化としてセルラ３Ｇサービスにおいて一歩前進している。ＬＴＥは、最大７５メガビット／秒（Ｍｂｐｓ）のアップリンクスピードと、最大３００Ｍｂｐｓのダウンリンクスピードを提供し、セルラネットワークに対して多くの技術的利点をもたらす。ＬＴＥは、今後１０年経ても、高容量の音声サポートだけではなく、高速データおよびメディアトランスポートに関するキャリアの必要性を満たすように設計される。帯域幅は、１．２５ＭＨｚから２０ＭＨｚまで拡張可能である。このことは、異なる帯域幅割り付けを有する異なるネットワークオペレータの必要性に適合しており、また、オペレータがスペクトラムに基づいて異なるサービスを提供することを可能にする。ＬＴＥはまた、３Ｇネットワークにおいてスペクトル効率を改善することが期待されており、そしてそれは、キャリアが所与帯域幅にわたってより多くのデータおよび音声サービスを提供することを可能にする。ＬＴＥは、高速データ、マルチメディアユニキャストおよびマルチキャストブロードキャストサービスを包含する。
【０００５】
ＬＴＥ物理層(ＰＨＹ)は、エンハンスド基地局（ｅＮｏｄｅＢ）とモバイルユーザ機器（ＵＥ）との間でデータと制御情報の両方を伝達する効率の高い手段である。ＬＴＥ ＰＨＹは、セルラアプリケーションに対して新規であるいくつかの高度技術を利用する。これらは、直交周波数分割多重化（ＯＦＤＭ）と多入力多出力（ＭＩＭＯ）データ送信を含む。さらに、ＬＴＥ ＰＨＹは、ダウンリンク(ＤＬ)上では直交周波数分割多元接続（ＯＦＤＭＡ）を使用し、アップリンク(ＵＬ)上ではシングルキャリア−周波数分割多元接続（ＳＣ-ＦＤＭＡ）を使用する。ＯＦＤＭＡは、データが、指定された数のシンボル期間の間、サブキャリア・バイ・サブキャリア・ベースで、複数のユーザに対して、または、複数のユーザから、送られることを可能にする。
【０００６】
近年、ＬＴＥアドバンスドは、４Ｇサービスを提供するための発展モバイル通信標準規格である。３Ｇ技術として定義され、ＬＴＥは、最大１Ｇｂｉｔ/ｓのピークデータレートのような国際電気通信連合によって規定されるようなＩＭＴアドバンスドとも呼ばれる４Ｇに関する必要要件を満たさない。ピークデータレートのほかに、ＬＴＥアドバンスドは、電力状態間のより早い切り替え、またセル端での改善される性能を目標としている。
【発明の概要】
【０００７】
以下は、開示された態様のいくつかの態様の基本的な理解を提供するために、簡略化された概要(summary)を提示する。この概要は、広範囲な全体像ではなく、重要なあるいは決定的な要素を識別することも、あるいは、このような態様の範囲を詳細に描写することも、意図されていない。その目的は、後で示される、より詳細な説明の前置きとして、簡略化された形で説明される特徴のいくつかのコンセプトを提示することである。
【０００８】
一態様では、複数のキャリア上で分散されるデコーディング候補のマッピングを制限する物理ダウンリンク制御チャネル(ＰＤＣＣＨ)についての制約にアクセスされる動作と、複数のデコーディング候補の縮小セット（reduced set）が制約にしたがってモニタされる動作と、デコーディング候補の縮小セットがブラインドデコードされる動作と、をインプリメントするためにコンピュータ読取可能媒体上に格納されたコンピュータ実行可能命令を実行するプロセッサを利用することにより、ブロードキャスト、マルチキャスト、またはユニキャスト情報を受信するために無線通信システムにおいて物理制御チャネル(ＰＤＣＣＨ)をモニタするための方法が提供される。
【０００９】
別の態様では、ブロードキャスト、マルチキャスト、またはユニキャスト情報を受信するために無線通信システムにおいて物理ダウンリンク制御チャネル（ＰＤＣＣＨ）をモニタするためのコンピュータプログラムプロダクトが提供される。少なくとも１つのコンピュータ読取可能記録媒体は、少なくとも１つのプロセッサによって実行されるときに下記の構成要素をインプリメントするコンピュータ実行可能命令を格納する：第１セットの命令は、コンピュータに、複数のキャリア上で分散されるデコーディング候補のマッピングを制限する物理ダウンリンク制御チャネル（ＰＤＣＣＨ）についての制約にアクセスさせ；第２セットの命令は、コンピュータに、制約にしたがって、デコーディング候補の縮小セットをモニタさせ；第３セットの命令は、コンピュータに、デコーディング候補の縮小セットをブラインドデコードさせる。
【００１０】
さらなる態様では、ブロードキャスト、マルチキャスト、またはユニキャスト情報を受信するために無線通信システムにおいて物理ダウンリンク制御チャネル（ＰＤＣＣＨ）をモニタするための装置が提供される。少なくとも１つのコンピュータ読取可能記録媒体は、少なくとも１つのプロセッサによって実行されるときに下記の構成要素をインプリメントするコンピュータ実行可能命令を格納する：複数のキャリア上で分散されるデコーディング候補のマッピングを制限する物理ダウンリンク制御チャネル（ＰＤＣＣＨ）についての制約にアクセスするための手段が提供され；制約にしたがって、デコーディング候補の縮小セットをモニタするための手段が提供され；デコーディング候補の縮小セットをブラインドデコードするための手段が提供される。
【００１１】
さらなる態様では、ブロードキャスト、マルチキャスト、またはユニキャスト情報を受信するために無線通信システムにおいて物理ダウンリンク制御チャネル（ＰＤＣＣＨ）をモニタするための装置が提供される。コンピューティングプラットフォームは、複数のキャリア上で分散されるデコーディング候補のマッピングを制限する物理ダウンリンク制御チャネル（ＰＤＣＣＨ）についての制約にアクセスする。受信機は、制約にしたがって、デコーディング候補の縮小セットをモニタする。デコーダは、デコーディング候補の縮小セットをブラインドデコードする。
【００１２】
さらにある態様では、下記の動作を実行するためにコンピュータ読取可能媒体上に格納されたコンピュータ実行可能命令、を実行するプロセッサを利用することにより、ブロードキャスト、マルチキャスト、またはユニキャスト情報を送信するために無線通信システムにおいて物理制御チャネル（ＰＤＣＣＨ）を送信するための方法が提供される。複数のキャリア上で分散されるデコーディング候補のマッピングを制限する物理ダウンリンク制御チャネル（ＰＤＣＣＨ）についての制約がアクセスされる。物理ダウンリンク制御チャネル（ＰＤＣＣＨ）が制約にしたがって複数のキャリア上でマッピングされる。ＰＤＣＣＨがエンコードされ、デコーディング候補の縮小セットを使用してブラインドデコードするためにユーザ機器（ＵＥ）についてマッピングされているものとして送信される。
【００１３】
さらに別の態様では、ブロードキャスト、マルチキャスト、またはユニキャスト情報を送信するために無線通信システムにおいて物理ダウンリンク制御チャネル（ＰＤＣＣＨ）を送信するためのコンピュータプログラムプロダクトが提供される。少なくとも１つのコンピュータ読取可能記録媒体は、少なくとも１つのプロセッサによって実行されるときに下記の構成要素をインプリメントするコンピュータ実行可能命令を格納する：第１セットの命令が、コンピュータに、複数のキャリア上で分散されるデコーディング候補のマッピングを制限する物理ダウンリンク制御チャネル（ＰＤＣＣＨ）についての制約にアクセスさせる；第２セットの命令が、コンピュータに、制約にしたがって複数のキャリア上で物理ダウンリンク制御チャネル（ＰＤＣＣＨ）をマッピングさせる；第３セットの命令が、コンピュータに、デコーディング候補の縮小セットを使用してブラインドデコードするためにユーザ機器（ＵＥ）についてマッピングされているものとして物理ダウンリンク制御チャネル（ＰＤＣＣＨ）をエンコードさせ送信させる。
【００１４】
さらに、さらなる態様では、ブロードキャスト、マルチキャスト、またはユニキャスト情報を送信するために無線通信システムにおいて物理ダウンリンク制御チャネル（ＰＤＣＣＨ）を送信するための装置が提供される。少なくとも１つのコンピュータ読取可能記録媒体は、少なくとも１つのプロセッサによって実行されるときに、下記を含む構成要素をインプリメントするコンピュータ実行可能命令を格納する。複数のキャリア上で分散されるデコーディング候補のマッピングを制限する物理ダウンリンク制御チャネル（ＰＤＣＣＨ）についての制約にアクセスするための手段が提供される。制約にしたがって複数のキャリア上で物理ダウンリンク制御チャネル（ＰＤＣＣＨ）をマッピングするための手段が提供される。デコーディング候補の縮小セットを使用してブラインドデコードするためにユーザ機器（ＵＥ）についてマッピングされているものとしてＰＤＣＣＨをエンコードし送信するための手段が提供される。
【００１５】
さらに他の態様では、ブロードキャスト、マルチキャスト、またはユニキャスト情報を送信するために無線通信システムにおいて物理ダウンリンク制御チャネル（ＰＤＣＣＨ）を送信するための装置が提供される。コンピューティングプラットフォームは、複数のキャリア上で分散されるデコーディング候補のマッピングを制限する物理ダウンリンク制御チャネル（ＰＤＣＣＨ）についての制約にアクセスする。マッピング／エンコーダは、制約にしたがって複数のキャリア上で物理ダウンリンク制御チャネル（ＰＤＣＣＨ）をマッピングしエンコードする。送信機は、デコーディング候補の縮小セットを使用してブラインドデコードするためにユーザ機器（ＵＥ）についてマッピングされエンコードされるものとしてＰＤＣＣＨを送信する。
【００１６】
前述のおよび関連の目的を達成するために、１つまたは複数の態様は、ここで十分に説明され、特許請求の範囲では特に指摘された特徴を備えることができる。以下の説明および添付図面は、詳細に、ある説明のための態様を記載しており、そして、態様の原理が使用されることができる様々な方法のうちのほんの少しを示している。他の利点および新規な特徴は、図面と共に考慮されるとき、以下の詳細な説明から明らかとなるであろう、また、開示された態様は、すべてのそのような態様およびそれらの同等物(equivalents)を含むように意図されている。
【００１７】
本開示の特徴、性質、および利益は、同様な参照数字が全体にわたって対応して識別する図面と併せて、後述される詳細な説明からより明らかとなるであろう。
【図面の簡単な説明】
【００１８】
【図１】図１は、マルチキャリア動作を使用して、物理ダウンリンク制御チャネル（ＰＤＣＣＨ）上で、候補ダウンリンク制御情報（ＤＣＩ）をユーザ機器がブラインドデコードする通信システムのブロック図を図示する。
【図２】図２は、複数のモニタされたキャリア上のＰＤＣＣＨ上に分散される候補を送信し、モニタするための動作のシーケンスまたは方法のフロー図を図示する。
【図３】図３は、マルチキャリア制御チャネルブラインドデコーディングを制約するための異種無線通信ネットワークを図示する。
【図４】図４は、マルチキャリア制御チャネルブラインドデコーディングを制約するＵＥと通信するためのマクロ基地局を図示する。
【図５】図５は、マルチキャリア制御チャネルブラインドデコーディングを制約する通信システムのブロック図を図示する。
【図６】図６は、無線通信システムにおいて物理ダウンリンク制御チャネル（ＰＤＣＣＨ）をモニタするための電子コンポーネントのロジカルグループのブロック図を図示する。
【図７】図７は、無線通信システムにおいて物理ダウンリンク制御チャネル（ＰＤＣＣＨ）を送信するための電子コンポーネントのロジカルグループのブロック図を図示する。
【図８】図８は、無線通信システムにおいて物理ダウンリンク制御チャネル（ＰＤＣＣＨ）をモニタするための手段を有する装置のブロック図を図示する。
【図９】図９は、無線通信システムにおいて物理ダウンリンク制御チャネル（ＰＤＣＣＨ）を送信するための手段を有する装置のブロック図を図示する。
【図１０Ａ】図１０Ａは、ブロードキャスト、マルチキャスト、またはユニキャスト情報を受信するために無線通信システムにおいて物理ダウンリンク制御チャネル（ＰＤＣＣＨ）をモニタするための動作のシーケンスまたは方法のフロー図を図示する。
【図１０Ｂ】図１０Ｂは、ブロードキャスト、マルチキャスト、またはユニキャスト情報を受信するために無線通信システムにおいて物理ダウンリンク制御チャネル（ＰＤＣＣＨ）をモニタするための動作のシーケンスまたは方法のフロー図を図示する。
【図１１Ａ】図１１Ａは、ブロードキャスト、マルチキャスト、またはユニキャスト情報を送信するために無線通信システムにおいて物理ダウンリンク制御チャネル（ＰＤＣＣＨ）を送信するための動作のシーケンスまたは方法のフロー図を図示する。
【図１１Ｂ】図１１Ｂは、ブロードキャスト、マルチキャスト、またはユニキャスト情報を送信するために無線通信システムにおいて物理ダウンリンク制御チャネル（ＰＤＣＣＨ）を送信するための動作のシーケンスまたは方法のフロー図を図示する。
【詳細な説明】
【００１９】
様々な態様が、図面を参照して説明されている。次の説明では、説明するために、多くの具体的な詳細が、１つまたは複数の態様の完全な理解を提供するために記載されている。しかしながら、様々な態様がこれらの特定の詳述なしに実行されることができるということは、明白である場合がある。他の例では、よく知られた構造およびデバイスは、これらの態様を説明することを容易にするためにブロック図の形で示されている。
【００２０】
図１を参照すると、通信システム１００は、それぞれ、ユーザ機器（ＵＥ）１１０がオーバラップなしに２つのモニタされたキャリア上でデュアル受信機１１２ａ、１１２ｂを使用してブラインドデコーディングを成功裡に実行することを可能にする方法で、物理ダウンリンク制御チャネル（ＰＤＣＣＨ）１０８の１０６ａ−１０６ｄで図示されるアグリゲーションレベル１、２、４、および８に関してダウンリンク制御情報（ＤＣＩ）１０４ａ−１０４ｚの分散を制約する発展型ベースノード（ｅＮＢ）１０２として図示されたノードを有する。具体的には、ｅＮＢ１０２は、アンテナ１１８ａ、１１８ｂによって送信するためのマッピング／エンコーダ１１６によってＰＤＣＣＨ１０８がどのように分散されるかを制限するために使用される、例えばコンピューティングプラットフォームによるような、格納された制約１１４にアクセスする。ＵＥ１１０は、分散がどのように制限されるか、すなわちデマッピング／デコーダ１２２によって処理されなくてはならないデコーディング候補の数を決定するために、例えばコンピューティングプラットフォーム（図示されず）によるような、格納された制約１２０にアクセスする。
【００２１】
現在、ＬＴＥリリース８では、ダウンリンク制御（ＰＤＣＣＨ）は、共通のサーチスペースまたはＵＥ専用サーチスペースのいずれかを使用してＵＥに対して送信される。各サーチスペースは、制御チャネル送信の異なるプロテクションごとに、ＰＤＣＣＨアグリゲーションレベルへとさらに分類される。共通のサーチスペースでは、２つのレベル、４ＣＣＥまたは８ＣＣＥが定義されており、各ＣＣＥは、３６リソースエレメント（ＲＥ）から成る。ＵＥ専用サーチスペースでは、４つのレベル、１、２、４、および８が定義される。各アグリゲーションレベルに対して、各ＵＥは、１より多い可能な候補をデコードすることを試みる必要がある。より具体的には、共通のサーチスペースのレベル４（ＣＣＥ）の場合、最大４つの候補であり、レベル８の場合は、最大２つの候補である。ＵＥ専用サーチスペースに関しては、レベル１、２、４、および８の場合、それぞれ、最大６、６、２、および２つの候補である。各候補は、最大２つのダウンリンク制御情報（ＤＣＩ）フォーマットを搬送することができる。その結果、ＵＥのためのブラインドデコードの合計数は、いずれのサブフレームにおいても、最大（ｒ＋２）＊２＋（６＋６＋２＋２）＊２＝４４である。サーチスペースは、共通のおよびＵＥ専用のサーチスペース間で、そして、異なるアグリゲーションレベルに対して、オーバラップしうるであろうことに留意されたい。このようなことが生じる場合、このオーバラップは、他のＵＥとの起こりうるコリジョン(collision)によりＵＥをスケジュールする可能性を制限する。ＬＴＥ−Ａは、ＵＥが同時に複数のキャリアをモニタする機会を提供する。この場合には、ブラインドデコードの合計数を、例えばシングルキャリア動作に匹敵する４４のまま（またはそれより高いが制限された）に限定することが望ましい。ＵＥは１以上のキャリアをモニタすることを必要とされるが、ＰＤＣＣＨサーチスペースは１つのキャリアによって制限され、また、ブラインドデコードの数は４４で保持される場合には、示されているようなオーバラップによる制限は今もなお存在する。
【００２２】
上述されたスケジューリング制約／制限を改善するために、本発明は、下記を提供する。
【００２３】
異なる複数のモニタされたキャリアに対して（ＵＥ特有および共通の）サーチスペースを分散させること、および／または、
異なる複数のモニタされたキャリアに対して複数のアグリゲーションレベルを分散させること、
および／または、異なる複数のモニタされたキャリアに対して所与アグリゲーションレベルに関するデコーディング候補の数を分散させること。
【００２４】
分散は、直交（依然として４４ブラインドデコードを保持している）、または非直交（＞４４ブラインドデコード）であることができる。例えば、２つのキャリアで、ＵＥは、キャリア１ではアグリゲーションレベル１および４のみをモニタし、キャリア２ではアグリゲーションレベル２および８をモニタすることができる（直交分散）。別の例は、キャリア１および２ではレベル１、４、および８をモニタし、キャリア２ではレベル８をモニタすることである（非直交分散、この例でのブラインドデコードの合計数は４８＞４４である）。分散は、例えばユーザ機器識別子またはセル識別子を参照することにより、ＵＥベース（またはセルあたりのベース）で行なわれることができる。実際の分散をコンピュートするために、時間情報（例、ＳＦＮまたはサブフレームインデクス、ＵＥ ＩＤ、セルＩＤなど）を利用することもできる。分散は、経時的にホップすることができる。
【００２５】
分散は、キャリアにわたって、均一または非均一に分散されることができる。具体的には、２つのキャリアが同じ数のデコーディング候補（均一）、または、異なる数のデコーディング候補（非均一）を有することができるような分散であることができる。さらに、分散は、シングルキャリア通信手法に対して可能な限り同じであるように、複数のキャリアにわたってデコーディング候補の合計数を制限することができる。例えば、ＵＥは、３つのダウンリンクキャリアをモニタするために構成されることができる。シングルキャリア構成の場合は、構成される制御シンボルの定義された数、ＰＨＩＣＨのサイズ（例えば、ＵＬ ＨＡＲＱをサポートするＤＬ ＡＣＫ／ＮＡＫ送信（ＴＸ）など）、送信アンテナの数、キャリア帯域幅（１つまたは複数）など、を提供するであろう。このシングルキャリアの構成は、最大４４のようなブラインドデコーディング候補の最大数を結果としてもたらす。３つのダウンリンクキャリアの各々上で４４を利用するというよりはむしろ、制約は、ブラインドデコーディングの合計量を、９６のようなより少ない数に制限することができる。一態様では、キャリアの各々は、均一の数を有するように制約されることができる。例えば、９６デコーディング候補制約の場合、３つのキャリアの各々は、３２デコーディング候補の制限を有することができる。別の態様では、１サブセットのキャリアは、均一量を有することができる。例えば、制約９６とシングルキャリア数４４が与えられると、第１のキャリアは４４を有することができ、第２のキャリアは２６を有することができ、第３のキャリアは２６を有することができる。さらなる態様では、制約によって課された分散は、非均一であることができる。例えば、制約９６とシングルキャリア数４４が与えられると、第１のキャリアは４４を有することができ、第２のキャリアは３１を有することができ、第３のキャリアは２１を有することができる。さらなる態様の場合、制約は、均一且つ非均一である分散を課すことができる。例えば、制約９６とシングルキャリア数４４が与えられると、第１のキャリアは４４を有することができ、第２のキャリアは４４を有することができ、第３のキャリアは８を有することができる。さらに別の例では、キャリア１：９６、キャリア２：０、キャリア３：０であり、すなわち、２つのキャリアは、０のデコーディング候補を備え、第１のキャリアはそれをすべて有する。上記でリストされたすべての例（どのように９６候補を分散させるか）で、デコーディング候補の縮小セットは、（例えばＵＥ専用サーチスペースのみをサポートしている）サーチスペースを制限すること、（例えばレベル４とレベル８のみをサポートする）アグリゲーションレベルの数を制限すること、アグリゲーションレベルあたりの候補の数を制限すること、または、それらの組み合わせ、から生じうる。例えば、あるキャリアは、シングルキャリアの場合にはフルセットのデコーディング候補を有することができ、別のキャリアは、制限されたアグリゲーションレベルおよび／またはアグリゲーションレベルあたりの制限された候補を伴ったＵＥ専用サーチスペースだけをサポートする。
【００２６】
極端な場合、キャリアは、いずれのＰＤＣＣＨデコーディング候補も有さない場合があるので、ＵＥは、ＰＤＣＣＨをデコードするためにこのキャリアをモニタしないであろう。一例では、制約９６とシングルキャリア数４４が与えられると、第１のキャリアは、４８を有することができ、第２のキャリアは４８を有することができ、第３のキャリアは０（ＰＤＣＣＨデコーディング候補なし）を有することができる。さらに別の例では、制約９６とシングルキャリア数４４が与えられると、第１のキャリアは５２を有することができ、第２のキャリアは４４を有することができ、第３のキャリアは０（ＰＤＣＣＨデコーディング候補なし）を有することができる。一般的に、大きな数のデコーディング候補を備えたキャリアは、より信頼性のあるＰＤＣＣＨ送信、負荷のより少ない、より少ないスケジューリング制約／コリジョンなどを有する、ということに留意されるべきである。このようなキャリア（１つまたは複数）は、プライマリキャリアまたはアンカキャリアと呼ばれることができる。ＵＥは、このようなプライマリキャリアで半静的に構成されることができる。他方で、小さい数またはゼロのデコーディング候補を備えたキャリアは、しばしば、限定または負荷がある干渉である。
【００２７】
図２では、無線通信システムにおいてユーザ機器によって受信された、また、ノードによって送信された、物理ダウンリンク制御チャネル（ＰＤＣＣＨ）のための動作の方法またはシーケンス２００が提供されている。サブフレームにおけるサーチスペースに関する１セットのＰＤＣＣＨ候補は、同時に２つのキャリアをモニタするためであり、ここにおいて、サブフレームは、制御情報を送信するための制御領域を備え、制御領域は、複数の制御チャネルエレメント（ＣＣＥ）にマッピングされた複数のリソースエレメントを備え、ＣＣＥは、１セットのリソースエレメントに対応し、そして、連続セットのＣＣＥを備えるサーチスペースは、共通のサーチスペースとＵＥ専用サーチスペースへと分類され、そして、共通のサーチスペースは、セル内にあるすべてのユーザ機器（ＵＥ）によってモニタされ、ＵＥ専用サーチスペースは、セル内にある少なくとも１つのＵＥによってモニタされる（ブロック２００）。複数のキャリア上で分散されるデコーディング候補のマッピングを制限する物理ダウンリンク制御チャネル（ＰＤＣＣＨ）についての制約にアクセスされる（ブロック２０２）
分散を制約するための１つまたは複数の技法が利用されることができる。ブロック２０４では、ＵＥ専用サーチスペースおよび共通サーチスペースは、異なる複数のモニタされたキャリアへと分散される。ブロック２０６では、アグリゲーションレベルは、異なる複数のモニタされたキャリアへと分散される。ブロック２０８では、選択されたアグリゲーションレベルについての多数のデコーディング候補は、異なる複数のモニタされたキャリアへと分散される。ブロック２１０では、ブラインドデコーディングのための候補は、モニタされたキャリアに関して直交方式で分散される。ブロック２１２で、アグリゲーションレベル１および４は、第１のキャリアで分散され、アグリゲーションレベル２および８は、第２のキャリアで分散される。ブロック２１４で、ブラインドデコーディングのための候補は、モニタされたキャリアに関して非直交方式で分散される。ブロック２１６では、アグリゲーションレベル１、４、および８は、第１のキャリアで分散され、アグリゲーションレベル２および８は、第２のキャリアで分散される。ブロック２１８では、ブラインドデコーディングのための候補は、ＵＥベースで分散される。ブロック２２０では、ブラインドデコーディングのための候補は、セルあたりのベースで分散される。ブロック２２２では、ブラインドデコーディングのための候補は、時間にわたって周波数ホッピングで分散される。
【００２８】
図３は、多数の基地局３１０と他のネットワークエンティティを含むことができる無線通信ネットワーク３００を示している。基地局は、端末と通信する局でありうる、また、アクセスポイント、ノードＢ、発展型ノードＢ（ｅＮｏｄｅＢ）、などとも呼ばれることができる。各基地局３１０は、特定の地理領域のための通信カバレッジを提供することができる。用語「セル」は、基地局のカバレッジエリアおよび／またはこのサービスエリアにサービス提供する基地局サブシステムを指すことができ、そしてそれは、用語が使用される文脈によって決まる。
【００２９】
基地局は、マクロセル、ピコセル、フェムトセル、および/または、他のタイプのセルのための通信カバレッジを提供することができる。マクロセルは、相対的に大きい地理領域（例えば半径数キロメートル）をカバーすることができ、サービス加入している端末によって制約されないアクセスを可能にすることができる。ピコセルは、相対的に小さい地理領域をカバーすることができ、サービス加入している端末によって制約されないアクセスを可能にすることができる。フェムトセルは、相対的に小さい地理領域（例えば家庭環境）をカバーすることができ、フェムトセルとの関連づけを有する端末、例えば、クローズド加入者グループ（ＣＳＧ）に属している端末によって制約されたアクセスを可能にすることができる。ＣＳＧは、家庭環境にあるユーザのための端末、特別なサービスプランに加入しているユーザのための端末、などを含むことができる。マクロセルのための基地局はマクロ基地局と呼ばれることができる。ピコセルのための基地局はまた、ピコ基地局とも呼ばれることができる。フェムトセルについての基地局は、フェムト基地局またはホーム基地局と呼ばれうる。
【００３０】
図３で図示される例では、基地局、３１０ａ、３１０ｂ、および３１０ｃは、それぞれ、マクロセル３２０ａ、３２０ｂ、および３２０ｃのためのマクロ基地局でありうる。基地局３１０ｘは、ピコセル３０２ｘのためのピコ基地局でありうる。基地局３１０ｙは、フェムトセル３０２ｙのためのフェムト基地局でありうる。簡略のため、図３では図示されてはいないが、マクロセルは、複数の端(edges)とオーバラップすることができる。ピコセルおよびフェムトセルは、（図３で図示されるように）マクロセル内で配置されうる、または、マクロセルおよび／または他のセルとオーバラップしうる。
【００３１】
無線ネットワーク３００はまた、リレー局、例えばリレー局３１０ｚを含みうる。リレー局は、アップストリーム局からデータおよび／または他の情報の送信を受信し、ダウンストリーム局に対してデータおよび／または他の情報の送信を送信する局である。アップスリーム局は、基地局、別のリレー局、または端末でありうる。ダウンストリーム局は、端末、別のリレー局、または基地局でありうる。リレー局はまた、他の端末に関する送信をリレーする端末でありうる。リレー局は、低再利用プリアンブルを送信および／または受信すしうる。例えば、リレー局は、ピコ基地局と同様な方法で低再利用プリアンブルを送信することができ、また、端末と同様な方法で低再利用プリアンブルを受信しうる。
【００３２】
ネットワークコントローラ３３０は、１セットの基地局に結合することができ、これらの基地局に対して調整および制御を提供しうる。ネットワークコントローラ３３０は、単一のネットワークエンティティ、または、ネットワークエンティティの集まりでありうる。ネットワークコントローラ３３０は、バックホールを介して基地局３１０と通信しうる。バックホールネットワーク通信３３４は、このような分散型アーキテクチャを利用して基地局３１０ａ−３１０ｃ間のポイント・ツー・ポイント通信を容易にすることができる。基地局３１０ａ−３１０ｃはまた、例えば無線バックホールまたは有線バックホールを介して直接または間接的に、互いに通信しうる。
【００３３】
無線ネットワーク３００は、マクロ基地局（図３で図示されず）を含む同種ネットワークでありうる。無線ネットワーク３００はまた、異なるタイプの基地局、例えばマクロ基地局、ピコ基地局、ホーム基地局、リレー局などを含む異種ネットワークでありうる。これらの異なるタイプの基地局は、異なる送信電力レベル、異なるカバレッジエリア、そして、無線ネットワーク３００における干渉に関する異なる影響を有することができる。例えば、マクロ基地局は、高い送信電力レベル（例えば２０ワット）を有することができ、ピコ基地局およびフェムト基地局は、低い送信電力レベル（例えば３ワット）を有しうる。ここで説明される技法は、同種ネットワークと異種ネットワークに対して使用されうる。
【００３４】
端末３２０は、無線ネットワーク３００にわたって分散していてもよく、各端末は固定式または移動式でありうる。端末はまた、アクセス端末（ＡＴ）、モバイル局（ＭＳ）、ユーザ機器（ＵＥ）、加入者ユニット、局などとも呼ばれることができる。端末は、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局などでありうる。端末は、ダウンリンクおよびアップリンクを介して基地局と通信しうる。ダウンリンク(または順方向リンク)は基地局から端末までの通信リンクを指し、アップリンク(または逆方向リンク)は、端末から基地局までの通信リンクを指す。
【００３５】
端末は、マクロ基地局、ピコ基地局、フェムト基地局、および／または他のタイプの基地局と通信可能でありうる。図３では、矢印が両方向にある実線は、端末とサービング基地局との間の望ましい送信を示しており、サービング基地局は、ダウンリンクおよび／またはアップリンク上で端末にサービス提供するように指定された基地局である。矢印が両方向にある点線は、端末と基地局との間の干渉送信を示す。干渉基地局は、ダウンリンク上の端末に対して干渉を引き起こす、および／または、アップリンク上の端末から干渉を観察する、基地局である。
【００３６】
無線ネットワーク３００は、同期または非同期動作をサポートしうる。同期動作の場合、基地局は、同じフレームタイミングを有することができ、異なる基地局からの送信は、時間でアラインされうる。非同期動作の場合、基地局は、異なるフレームタイミングを有することができ、異なる基地局からの送信は、時間でアラインされない場合がある。非同期動作は、ピコ基地局とフェムト基地局にとってより共通でありうる、それらは、屋内で展開され、グローバルポジショニングシステム（ＧＰＳ）のような同期ソースへのアクセスを有していないことがある。
【００３７】
一態様では、システムキャパシティを改善するために、それぞれの基地局３１０ａ−３１０ｃに対応するカバレッジエリア３０２ａ、３０２ｂ、または３０２ｃは、複数のより小さいエリア（例、エリア３０４ａ、３０４ｂ、および３０４ｃ）へと分割されうる。より小さいエリア３０４ａ、３０４ｂ、および３０４ｃの各々は、それぞれのベーストランシーバサブシステム（ＢＴＳ、図示されず）によってサービス提供されうる。ここにおいて、また一般的に当技術分野で使用されるように、用語「セクタ」は、用語が使用される文脈によっては、ＢＴＳおよび／またはそのカバレッジエリアを指すことがある。一例では、セル３０２ａ、３０２ｂ、３０２ｃ内にあるセクタ３０４ａ、３０４ｂ、３０４ｃは、基地局４１０で複数グループのアンテナ（図示されず）によって形成されることができ、ここでは、各グループのアンテナは、セル３０２ａ、３０２ｂ、または３０２ｃの一部分において複数の端末４０２と通信することを担う。例えば、セル３０２ａにサービス提供する基地局４１０は、セクタ３０４ａに対応する第１のアンテナグループ、セクタ３０４ｂに対応する第２のアンテナグループ、セクタ３０４ｃに対応する第３のアンテナグループ、を有しうる。しかしながら、ここに開示される様々な態様は、セクタ化されたおよび/または非セクタ化されたセルを有するシステムで使用されうる、ということは理解されるべきである。さらに、任意の数のセクタ化されたおよび/または非セクタ化されたセルを有するすべての適切な無線通信ネットワークは、特許請求の範囲の範囲内にあるように意図されている、ということは理解されるべきである。簡略のため、ここで使用される「基地局」という用語は、セクタにサービス提供する局とセルにサービス提供する局の両方を指すことができる。ここで使用されるように、ディスジョイントリンクシナリオにおけるダウンリンクセクタは近隣セクタであるということは理解されるべきである。下記の説明は、一般的には、簡略化のため各端末が１つのサービングアクセスポイントと通信するシステムに関するが、端末は、任意の数のサービングアクセスポイントと通信することができる。
【００３８】
図４を参照すると、一態様による多元接続無線通信システムが図示されている。アクセスポイント（ＡＰ）４００は、複数のアンテナグループを含んでおり、１つのアンテナグループは、４０４と４０６を含んでおり、別のアンテナグループは、４０８と４１０を含んでおり、そして、さらなるアンテナグループは、４１２と４１４を含んでいる。図４では、各アンテナグループについて２つのアンテナのみが示されているが、より多くのまたはより少数のアンテナが各アンテナグループについて利用されることができる。アクセス端末（ＡＴ）４１６は、アンテナ４１２とアンテナ４１４と通信しており、アンテナ４１２とアンテナ４１４は、順方向リンク４２０上でアクセス端末４１６に対して情報を送信し、逆方向リンク４１８上でアクセス端末４１６から情報を受信する。アクセス端末４２２は、アンテナ４０６とアンテナ４０８と通信しており、アンテナ４０６とアンテナ４０８は、順方向リンク４２６上でアクセス端末４２２に対して情報を送信し、逆方向リンク４２４上でアクセス端末４２２から情報を受信する。ＦＤＤシステムでは、通信リンク４１８、４２０、４２４および４２６は、通信に対し、異なる周波数を使用することができる。例えば、順方向リンク４２０は、逆方向リンク４１８によって使用されるものとは異なる周波数を使用しうる。
【００３９】
各グループのアンテナ、および/または、それらが通信するように設計されるエリアは、アクセスポイントのセクタと呼ばれることが多い。一態様では、アンテナグループは各々、アクセスポイント４００によってカバーされたエリアのセクタのアクセス端末に対して通信するように設計される。
【００４０】
順方向リンク４２０および４２６による通信では、アクセスポイント４００の送信アンテナは、異なるアクセス端末４１６と４２４に関する信号対雑音比を改善するためにビームフォーミングを利用する。また、カバレッジを通じてランダムに散在しているアクセス端末に対して送信するためにビームフォーミングを使用しているアクセスポイントは、すべてのそのアクセス端末に対して単一アンテナを通じて送信しているアクセスポイントよりも近隣セル内にあるアクセス端末に対してより少ない干渉を引き起こす。
【００４１】
アクセス端末は、端末と通信するために使用される固定局でありうる、また、アクセスポイント、ノードＢ、あるいはいくつかの他の用語で呼ばれうる。アクセス端末はまた、アクセス端末、ユーザ機器（ＵＥ）、無線通信デバイス、端末、アクセス端末または他の用語で呼ばれうる。
【００４２】
[51]  図５は、基地局５０２と端末５０４との間の通信システム５００の設計のブロック図を示しており、それらは、図１の複数の基地局のうちの１つと複数の端末のうちの１つでありうる。基地局５０２は、ＴＸアンテナ５３４ａ〜５３４ｔを備えうる、また、端末５０４は、ＲＸアンテナ５５２ａ〜５５２ｒを備えうる、なお、一般的には、Ｔ≧１でＲ≧１である。
【００４３】
基地局５０２では、送信プロセッサ５２０は、データソース５１２からトラヒックデータを受信することができ、コントローラ／プロセッサ５４０からメッセージを受信することができる。送信プロセッサ５２０は、それぞれ、トラヒックデータおよびメッセージを処理し（例えばエンコードし、インタリーブし、変調し）、データシンボルおよび制御シンボルを提供しうる。送信プロセッサ５２０はまた、低再利用プリアンブルのためのパイロットシンボルおよびデータシンボルを生成し、他のパイロットおよび／または参照信号のためのパイロットシンボルを生成しうる。送信（ＴＸ）多入力多出力（ＭＩＭＯ）プロセッサ５３０は、適用可能である場合には、データシンボル、制御シンボル、および／またはパイロットシンボルに関して空間処理（例えば、プレコーディング）を実行することができ、Ｔ変調器（ＭＯＤ）５３２ａ〜５３２ｔに対してＴ出力シンボルストリームを提供しうる。各変調器５３２は、（例、ＯＦＤＭ、ＳＣ−ＦＤＭ用などの）それぞれの出力シンボルストリームを処理して、出力サンプルストリームを得ることができる。各変調器５３２は、さらに、出力サンプルストリームを処理して（例えば、アナログ変換し、増幅し、フィルタリングし、そしてアップコンバートし）、ダウンリンク信号を得ることができる。変調器５３２ａ−５３２ｔからのＴダウンリンク信号は、それぞれ、Ｔアンテナ５３４ａ−５３４ｔを介して送信されうる。
【００４４】
端末５０４で、アンテナ５５２ａ〜５５２ｒは、基地局５０２からダウンリンク信号を受信することができ、それぞれ、復調器（ＤＥＭＯＤ）５５４ａ〜５５４ｒに対して受信信号を提供することができる。各復調器５５４は、それぞれの受信信号を調整して（例えば、フィルタにかけ、増幅し、ダウンコンバートし、そしてデジタル化する）、入力サンプルを得ることができる。各復調器５５４は、さらに、（例えばＯＦＤＭ、ＳＣ−ＦＤＭ用などの）入力サンプルを処理して、受信シンボルを得ることができる。ＭＩＭＯ検出器５５６は、すべてのＲ復調器５５４ａ〜５５４ｒから受信シンボルを得て、適用可能である場合には受信シンボルに対してＭＩＭＯ検出を実行し、そして、検出されたシンボルを提供することができる。受信プロセッサ５５８は、検出されたシンボルを処理し（例えば、復調、デインタリーブ、そしてデコードし）、データシンク５６０に対して端末５０４のためにデコードされたトラヒックデータを提供し、そして、コントローラ／プロセッサ５８０に対してデコードされたメッセージを提供しうる。低再利用プリアンブル（ＬＲＰ）プロセッサ５８４は、基地局から低再利用プリアンブルを検出し、コントローラ／プロセッサ５８０に対して検出された基地局またはセルのための情報を提供しる。
【００４５】
アップリンク上で、端末５０４において、送信プロセッサ５６４は、データソース５６２からトラヒックデータを、そして、コントローラ／プロセッサ５８０からメッセージを、受信し処理しうる。送信プロセッサ５６４からのシンボルは、適用可能である場合には、ＴＸ ＭＩＭＯプロセッサ５６６によってプレコードされ、さらに変調器５５４ａ−５５４ｒによって処理され、そして、基地局５０２に対して送信されうる。基地局５０２で、端末５０４からのアップリンク信号は、適用可能である場合には、アンテナ５３４によって受信され、復調器５３２によって処理され、ＭＩＭＯ検出器５３６によって検出され、さらには受信プロセッサ５３８によって処理されて、端末５０４によって送信されたデコードされたパケットおよびメッセージを得ることができる。
【００４６】
コントローラ／プロセッサ５４０および５８０は、それぞれ、基地局５０２と端末５０４における動作を命令しうる。基地局５０２における、プロセッサ５４０および／または他のプロセッサとモジュールは、ここに説明されるような技法のプロセスを実行または命令しうる。端末５０４における、プロセッサ５８４および／または他のプロセッサとモジュールは、ここに説明されるような技法のプロセスを実行または命令しうる。メモリ５４２および５８２は、それぞれ、基地局５０２と端末５０４のためのデータおよびプログラムコードを格納する、または、格納することを動的に実行しうる。スケジューラ５４４は、ダウンリンクおよび／またはアップリンク上でデータ送信のために端末をスケジュールすることができ、そのスケジュールされた端末に対してリソース許可を提供しうる。
【００４７】
当業者は、様々な異なる技術および技法のうちのいずれかを使用して、情報と信号が表わされうることを理解するであろう。例えば、上記の説明の全体にわたって参照されることができる、データ、命令、コマンド、情報、信号、ビット、シンボル、およびチップは、電圧、電流、電磁波、磁場あるいは磁粒子、光場あるいは光学粒子、あるいはそれらのいずれの組み合わせ、によって表わされうる。
【００４８】
図６を参照すると、ブロードキャスト、マルチキャスト、またはユニキャスト情報を受信するために無線通信システムにおいて物理ダウンリンク制御チャネル（ＰＤＣＣＨ）をモニタするためのシステム６００が図示されている。例えば、システム６００は、ユーザ機器に少なくとも部分的に常駐しうる。システム６００は、機能ブロックを含むものとして表わされており、その機能ブロックは、コンピューティングプラットフォーム、プロセッサ、ソフトウェア、またはそれらの組み合わせ（例、ファームウェア）によってインプリメントされる機能を表わす機能ブロックでありうることは理解されるべきである。システム６００は、共に作用することができる電子コンポーネントのロジカルグルーピング６０２を含む。例えば、ロジカルグルーピング６０２は、複数のキャリア上で分散されるデコーディング候補のマッピングを制限する物理ダウンリンク制御チャネル（ＰＤＣＣＨ）についての制約にアクセスするための電子コンポーネント６０４を含みうる。さらに、ロジカルグルーピング６０２は、制約にしたがって、デコーディング候補の縮小セットをモニタするための電子コンポーネント６０６を含みうる。さらに、ロジカルグルーピング６０２は、デコーディング候補の縮小セットをブラインドデコードするための電子コンポーネント６０８を含みうる。さらに、システム６００は、電子コンポーネント６０４−６０８と関連づけられた機能を実行するための命令を保持するメモリ６２０を含みうる。メモリ６０２の外側にあるものとして示されているが、電子コンポーネント６０４−６０８のうちの１以上がメモリ６２０内に存在しうることは理解されるべきである。
【００４９】
図７を参照すると、ブロードキャスト、マルチキャスト、またはユニキャスト情報を送信するために無線通信システムにおいて物理ダウンリンク制御チャネル（ＰＤＣＣＨ）を送信するためのシステム６００が図示されている。例えば、システム７００は、少なくとも部分的にネットワークエンティティ（例えば発展型ベースノード）内に常駐しうる。システム７００は、機能ブロックを含むものとして表わされており、その機能ブロックは、コンピューティングプラットフォーム、プロセッサ、ソフトウェア、またはそれらの組み合わせ（例、ファームウェア）によってインプリメントされる機能を表わす機能ブロックでありうることは理解されるべきである。システム７００は、共に作用しうる電子コンポーネントのロジカルグルーピング７０２を含む。例えば、ロジカルグルーピング７０２は、複数のキャリア上で分散されるデコーディング候補のマッピングを制限する物理ダウンリンク制御チャネル（ＰＤＣＣＨ）についての制約にアクセスするための電子コンポーネント７０４を含みうる。さらに、ロジカルグルーピング７０２は、制約にしたがって複数のキャリア上で物理ダウンリンク制御チャネル（ＰＤＣＣＨ）をマッピングするための電子コンポーネント７０６を含みうる。さらに、ロジカルグルーピング７０２は、デコーディング候補の縮小セットを使用してブラインドデコードするためにユーザ機器（ＵＥ）についてマッピングされているものとして（as mapped）ＰＤＣＣＨをエンコードし送信するための電子コンポーネント７０８を含みうる。さらに、システム７００は、電子コンポーネント７０４−７０８と関連づけられた機能を実行するための命令を保持するメモリ７２０を含みうる。メモリ７２０に対し外付けされているものとして示されているが、電子コンポーネント７０４−７０８のうちの１つまたは複数がメモリ７２０内に存在しうるは理解されるべきである。
【００５０】
図８には、ブロードキャスト、マルチキャスト、またはユニキャスト情報を受信するために無線通信システムにおいて物理ダウンリンク制御チャネル（ＰＤＣＣＨ）をモニタするための装置８０２が図示されている。複数のキャリア上で分散されるデコーディング候補のマッピングを制限する物理ダウンリンク制御チャネル（ＰＤＣＣＨ）についての制約にアクセスするための手段８０４が提供される。制約にしたがって、デコーディング候補の縮小セットをモニタするための手段８０６が提供される。デコーディング候補の縮小セットをブラインドデコードするための手段８０８が提供される。
【００５１】
図９では、ブロードキャスト、マルチキャスト、またはユニキャスト情報を送信するために無線通信システムにおいて物理ダウンリンク制御チャネル（ＰＤＣＣＨ）を送信するための装置９０２が図示されている。複数のキャリア上で分散されるデコーディング候補のマッピングを制限する物理ダウンリンク制御チャネル（ＰＤＣＣＨ）についての制約にアクセスするための手段９０４が提供される。制約にしたがって複数のキャリア上で物理ダウンリンク制御チャネル（ＰＤＣＣＨ）をマッピングするための手段９０６が提供される。デコーディング候補の縮小セットを使用してブラインドデコードするためにユーザ機器（ＵＥ）についてマッピングされているものとしてＰＤＣＣＨをエンコードし送信するための手段９０８が提供される。
【００５２】
図１０Ａ‐１０Ｂでは、ブロードキャスト、マルチキャスト、またはユニキャスト情報を受信するために無線通信システムにおいて物理ダウンリンク制御チャネル（ＰＤＣＣＨ）をモニタするための動作のシーケンスまたは方法１０００が提供される。プロセッサは、方法をインプリメントするコンピュータ読取可能記録媒体上で格納されたコンピュータ実行可能命令を実行するために利用される（１００２）。複数のキャリア上で分散されるデコーディング候補のマッピングを制限する物理ダウンリンク制御チャネル（ＰＤＣＣＨ）についての制約にアクセスされる（ブロック１００４）。縮小セットの複数のデコーディング候補は、制約にしたがってモニタされる（ブロック１００６）。デコーディング候補の縮小セットはブラインドデコードされる（ブロック１００８）。一態様では、制約は、同時に２以上のキャリアをモニタする必要をＵＥが回避するように、ＰＤＣＣＨの分散を制限する（ブロック１００９）。具体的には、制約は、シングルキャリアのインプリメンテーションに可能なものとほぼ同じに、デコーディング候補の数を制限することができる（ブロック１０１０）。あるいは、制約は、シングルキャリアに可能なデコーディング候補のより下の数Ｌと、シングルキャリアのより下の数Ｌとモニタされた複数のキャリアＭの数との積に等しいよりより上の数Ｕと、の範囲内でデコーディング候補を合計数Ｎに制限する、すなわち、Ｌ≦Ｎ≦Ｌ×Ｍである（ブロック１０１２）。
【００５３】
ブロック１００２でアクセスされる制約は、複数のキャリアを介して送信されたＰＤＣＣＨを成功裡に受信するために達成されなくてはならないブラインドデコーディングの数を制限するための１つまたは複数の特性を伴いうる。一態様では、制約は共通のサーチスペースを複数のキャリアのうちの選択された１つに分散させ、ユーザ機器特有のサーチスペースを複数のキャリアのうちの別の選択された１つに分散させる（ブロック１０１４）。別の態様では、制約は、第１のアグリゲーションレベルを複数のキャリアのうちの選択された１つに分散させ、第２のアグリゲーションレベルを複数のキャリアのうちの別の選択された１つに分散させる（ブロック１０１６）。さらなる態様では、制約は、選択されたアグリゲーションレベルに関する第１サブセットのデコーディング候補を複数のキャリアのうちの選択された１つに分散させ、そして、選択されたアグリゲーションレベルに関する第２サブセットのデコーディング候補を複数のキャリアのうちの別の選択された１つに分散させる（ブロック１０１８）。別のさらなる態様では、制約は、ユーザ機器ベースでデコーディング候補を分散させる（ブロック１０１９）。さらなる態様では、制約は、セルあたりのベースでデコーディング候補を分散させる（ブロック１０２０）。さらにある態様では、制約は、サブフレームインデクスに基づいて分散を導き出すためのものである（ブロック１０２２）。さらに別の態様では、制約は、ランダムシードまたは複数のランダムシードに基づいて分散を導き出すためのものである（ブロック１０２４）。
【００５４】
ＰＤＣＣＨの分散が半静的に生じるかについての決定が行われることができ（ブロック１０２６）、そうである場合には、分散の更新された決定がスケジュールされる（ブロック１０２８）。
【００５５】
ＰＤＣＣＨの分散が経時的にホップするかについての決定が行なわれることができ（ブロック１０３０）、そうである場合には、分散の更新された決定がスケジュールされる（ブロック１０３２）。
【００５６】
図１１Ａ−１１Ｂでは、ブロードキャスト、マルチキャスト、またはユニキャスト情報を送信するために、無線通信システムにおいて物理ダウンリンク制御チャネル（ＰＤＣＣＨ）を送信するための動作１１００の方法またはシーケンスが提供される。プロセッサは、方法をインプリメントするコンピュータ読取可能記録媒体上で格納されたコンピュータ実行可能命令を実行するために利用される（ブロック１１０２）。複数のキャリア上で分散されるデコーディング候補のマッピングを制限する物理ダウンリンク制御チャネル（ＰＤＣＣＨ）についての制約にアクセスされる（ブロック１１０４）。制約にしたがって複数のキャリア上で物理ダウンリンク制御チャネル（ＰＤＣＣＨ）がマッピングされる（ブロック１１０６）。ＰＤＣＣＨは、デコーディング候補の縮小セットを使用してブラインドデコードするためにユーザ機器（ＵＥ）についてマッピングされているものとしてエンコードされ送信される（ブロック１１０８）。一態様では、制約は、同時に２以上のキャリアをモニタする必要をＵＥが回避するので、ＰＤＣＣＨの分散を制限する（ブロック１１０９）。具体的には、制約は、シングルキャリアのインプリメンテーションに可能なものとほぼ同じに、デコーディング候補の数を制限することができる（ブロック１１１０）。あるいは、制約は、シングルキャリアに可能なデコーディング候補のより下の数Ｌと、シングルキャリアのより下の数Ｌとモニタされた複数のキャリアＭの数の積に等しいより上の数Ｕと、の範囲内で、デコーディング候補を合計数Ｎに制限する、すなわち、Ｌ≦Ｎ≦Ｌ×Ｍである（ブロック１１１２）。
【００５７】
ブロック１１０２でアクセスされる制約は、複数のキャリアを介して送信されたＰＤＣＣＨを成功裡に受信するために達成されなくてはならないブラインドデコーディングの数を制限するための１つまたは複数の特性を含むことができる。ある態様では、制約は、共通のサーチスペースを複数のキャリアのうちの選択された１つに分散させ、ユーザ機器特有のサーチスペースを複数のキャリアのうちの別の選択された１つに分散させる（ブロック１１１４）。別の態様では、制約は、第１のアグリゲーションレベルを複数のキャリアのうちの選択された１つに分散させ、第２のアグリゲーションレベルを複数のキャリアのうちの別の選択された１つに分散させる（ブロック１１１６）。さらなる態様では、制約は、選択されたアグリゲーションレベルに関する第１サブセットのデコーディング候補を複数のキャリアのうちの選択された１つに分散させ、そして、選択されたアグリゲーションレベルに関する第２サブセットのデコーディング候補を複数のキャリアのうちの別の選択された１つに分散させる（ブロック１１１８）。別のさらなる態様では、制約は、ユーザ機器ベースでデコーディング候補を分散させる。さらなる態様では、制約は、セルあたりのベースでデコーディング候補を分散させる（ブロック１１２０）。さらにある態様では、制約は、サブフレームインデクスに基づいて分散を導き出すためのものである（ブロック１１２２）。さらに別の態様では、制約は、１つまたは複数のランダムシードに基づいて分散を導き出すためのものである（ブロック１１２４）。
【００５８】
ＰＤＣＣＨの分散が半静的に生じるかについての決定が行われることができる（ブロック１１２６）、そうである場合には、分散の更新された決定がスケジュールされる（ブロック１１２８）。
【００５９】
ＰＤＣＣＨの分散が経時的にホップするかについての決定が行なわれることができ（ブロック１１３０）、そうである場合には、分散の更新された決定がスケジュールされる（ブロック１１３２）。
【００６０】
当業者は、ここにおいて開示される態様に関連して説明された様々な説明のためのロジカルブロック、モジュール、回路、および、アルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路およびステップが、一般に、それらの機能性という観点から、上記に説明されてきた。そのような機能が、ハードウェアとしてインプリメントされるかあるいはソフトウェアとしてインプリメントされるかは、特定のアプリケーションと全体のシステムに課された設計制約(design constraints)によって決まる。当業者は、特定のアプリケーションごとに様々な方法で、説明された機能をインプリメントしうるが、そのようなインプリメンテーションの決定は、本発明の範囲からの逸脱を生じさせるものとして解釈されるべきでない。
【００６１】
本願で使用されているように、用語「コンポーネント(component)」、「モジュール(module)」、「システム(system)」、および同様なものは、コンピュータ関連のエンティティ、ハードウェア、ハードウェアとソフトウェアの組み合わせ、ソフトウェア、あるいは実行中のソフトウェア、のいずれかを指すように意図されている。例えば、コンポーネントは、限定されてはいないが、プロセッサ上で実行しているプロセス、プロセッサ、オブジェクト(object)、実行ファイル(executable)、実行スレッド(thread of execution)、プログラム、および/またはコンピュータ、でありうる。例として、サーバ上で実行中のアプリケーションとサーバの両方はコンポーネントであることができる。１つまたは複数のコンポーネントは、プロセスおよび/または実行スレッド内に常駐することができ、また、コンポーネントは、１つのコンピュータ上に局在化されてもよいし、および/または、２つ以上のコンピュータの間で分散していてもよい。
【００６２】
用語「例示的な(exemplary)」は、例(example)、事例(instance)、または例証(illustration)として機能していることを意味するように、ここでは使用されている。ここで説明される、いずれの態様または設計も、「例示的(exemplary)」であって、他の態様あるいは設計よりも、好ましいまたは有利であるものとして、必ずしも解釈されるべきではない。
【００６３】
様々な態様は、多数のコンポーネント、モジュール、および同様なものを含むことができるシステムの観点から示される。様々なシステムは、追加コンポーネント、モジュール、等を含んでもよく、および/または、図に関連して説明されたコンポーネント、モジュール等のすべてを含まなくてもよい、ということは理解され、認識されるべきである。これらの手法の組み合わせもまた使用されることができる。ここにおいて開示される様々な態様は、タッチスクリーンディスプレイ技術を使用するデバイスを含んでいる電子デバイス、および/または、マウスおよびキーボードタイプのインタフェース、上で実行されることができる。このようなデバイスの例は、コンピュータ(デスクトップおよびモバイル)、スマートフォン、携帯情報端末(ＰＤＡ)、そして有線且つ無線である他の電子デバイス、を含む。
【００６４】
さらに、ここにおいて開示された態様に関連して説明された様々な説明のためのロジカルブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブルロジック回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されうる。汎用プロセッサは、マイクロプロセッサでありうるが、代替として、プロセッサは、任意の従来のプロセッサ、コントローラ、マイクロコントローラ、あるいはステートマシン(state machine)でありうる。プロセッサはまた、コンピューティングデバイスの組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされうる。
【００６５】
さらに、１以上のバージョンは、開示される態様をインプリメントするためにコンピュータを制御するソフトウェア、ファームウェア、ハードウェア、またはそれらのいずれの組み合わせを生成するスタンダードプログラミングおよび/またはエンジニアリング技法を使用して、方法、装置、または製造品としてインプリメントされうる。ここにおいて使用されている用語「製造品(article of manufacture)」(あるいは「コンピュータプログラムプロダクト(computer program product)」)は、いずれのコンピュータ読取可能デバイス、キャリア、あるいは媒体からアクセス可能なコンピュータプログラムも含むように意図されている。例えば、コンピュータ読取可能媒体は、限定されてはいないが、磁気ストレージデバイス(例、ハードディスク、フロッピー(登録商標)ディスク、磁気ストリップ(magnetic strips)…)、光学ディスク(例、コンパクトディスク(ＣＤ)、デジタル汎用ディスク(digital versatile disk)(ＤＶＤ)…)、スマートカード、また、フラッシュメモリデバイス(例、カード、スティック）を含みうる。さらに、電子メールを送信および受信することまたはインターネットまたはローカルエリアネットワーク（ＬＡＮ）のようなネットワークにアクセスすることにおいて使用されるようなコンピュータ読取可能電子データを搬送するためにキャリア波が利用されうることが理解されるべきである。勿論、当業者は、開示された態様の範囲から逸脱することなく、この構成に対して多くの変更がなされることができるということを認識するであろう。
【００６６】
ここにおいて開示された態様に関連して説明された方法またはアルゴリズムのステップは、直接ハードウェアにおいて、プロセッサによって実行されるソフトウェアモジュールにおいて、または、２つの組み合わせにおいて具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において常駐する(reside)ことができる。例示的な記憶媒体は、プロセッサに結合されるので、プロセッサは記憶媒体から情報を読み取ることができ、また記憶媒体に情報を書き込むことができる。あるいは、記憶媒体は、プロセッサに一体化されうる。プロセッサと記憶媒体は、ＡＳＩＣにおいて存在しうる。ＡＳＩＣは、ユーザ端末に存在しうる。あるいは、プロセッサと記憶媒体は、ユーザ機器において、ディスクリートコンポーネントとして存在していてもよい。
【００６７】
開示される態様の前述の説明は、当業者が本開示を行うまたは使用することを可能にするために提供される。これらの態様に対する様々な修正は、当業者にとっては容易に明らかであろう、そして、ここにおいて定義された包括的な原理は、本開示の精神あるいは範囲から逸脱することなく、他の実施形態に適用されうる。したがって、本開示は、ここに示された実施形態に限定されるようには意図されておらず、ここに開示された原理および新規な特徴に整合する最も広い範囲が与えられるべきである。
【００６８】
上述される例示的なシステムという観点から、開示される主題の事柄にしたがってインプリメントされることができる方法は、いくつかのフロー図を参照して説明されてきた。説明を簡略するために、方法は一連のブロックとして示され、そして説明されているが、いくつかのブロックは、ここにおいて図示され説明されたものから他のブロックを用いて異なる順序でおよび/または同時に生じることができるため、特許請求された主題の事柄はブロックの数あるいは順序によって制限されていない、ということが認識され、理解されるべきである。さらに、必ずしもすべての図示されたブロックが、ここに説明された方法をインプリメントすることを必要としなくてもよい。さらに、ここにおいて開示される方法は、コンピュータに対しこのような方法を移送し、転送することを容易にするために製造品上で格納されることができるということがさらに理解されるべきである。製造品という用語は、ここで使用されるように、いずれのコンピュータ読取可能デバイス、キャリア、あるいは媒体からアクセス可能なコンピュータプログラムを含むように意図されている。
【００６９】
ここにおける参照によって組み込まれるといわれる、いずれの特許、公開公報、または他の開示材料も、全体または部分的において、組み込まれた材料が、本開示で記載されている既存の定義、ステートメント、または他の開示材料と衝突しない範囲でのみ、ここに組み込まれるということが理解されるべきである。そのため、そして必要な範囲において、ここにおいて明示的に記載される開示は、参照により、ここにおいて組み込まれるいずれの衝突材料に優先する。ここにおける参照によって組み込まれると言われているが、ここに記載された既存の定義、ステートメント、または他の開示材料と衝突する任意の材料、またはその一部分は、その組み込まれた材料と、既存の開示材料との間での衝突が生じない程度でのみ組み込まれる。
以下に本願発明の当初の特許請求の範囲に記載された発明を付記する。
［Ｃ１］
ブロードキャスト、マルチキャスト、またはユニキャスト情報を受信するために無線通信システムにおいて物理ダウンリンク制御チャネル（ＰＤＣＣＨ）をモニタするための方法であって、
複数のキャリア上で分散されるデコーディング候補のマッピングを制限する物理ダウンリンク制御チャネル（ＰＤＣＣＨ）についての制約にアクセスする動作と、
前記制約にしたがって、デコーディング候補の縮小セットをモニタする動作と、
前記デコーディング候補の縮小セットをブラインドデコードする動作と、
をインプリメントするためのコンピュータ読取可能記録媒体上に格納されたコンピュータ実行可能命令を実行するプロセッサを利用すること、
を備える方法。
［Ｃ２］
前記複数のキャリアのうちの選択された少なくとも１つに関する分散を、共通サーチスペースとユーザ機器専用サーチスペースのうちの選択された１つに制限する前記制約にアクセスすること、をさらに備える請求項１に記載の方法。
［Ｃ３］
前記複数のキャリアのうちの選択された少なくとも１つに関する分散を、サーチスペースのための選択されたサブセットのアグリゲーションレベルに制限する前記制約にアクセスすること、をさらに備える請求項１に記載の方法。
［Ｃ４］
前記複数のキャリアのうちの選択された少なくとも１つに関する分散を、サーチスペースとアグリゲーションレベルに関して選択されたサブセットのデコーディング候補に制限する前記制約にアクセスすること、をさらに備える請求項１に記載の方法。
［Ｃ５］
ユーザ機器ベースでデコーディング候補を分散させる前記制約にアクセスすること、をさらに備える請求項１に記載の方法。
［Ｃ６］
セルあたりのベースでデコーディング候補を分散させる前記制約にアクセスすること、をさらに備える請求項１に記載の方法。
［Ｃ７］
サブフレームインデクスに基づいて分散を導き出すことによって前記制約にアクセスすること、をさらに備える請求項１に記載の方法。
［Ｃ８］
ランダムシードに基づいて分散を導き出すことによって前記制約にアクセスすること、をさらに備える請求項１に記載の方法。
［Ｃ９］
ユーザ機器識別子、セル識別子、サブフレームインデクス、またはランダムシードに基づいてデコーディング候補を分散させる前記制約にアクセスすること、をさらに備える請求項１に記載の方法。
［Ｃ１０］
ユーザ機器識別子、セル識別子、サブフレームインデクス、第１のランダムシード、および第２のランダムシードから成るグループから選択される少なくとも２つの特性によってデコーディング候補を分散させる前記制約にアクセスすること、をさらに備える請求項１に記載の方法。
［Ｃ１１］
前記物理ダウンリンク制御チャネル（ＰＤＣＣＨ）の分散は半静的に生じる、請求項１に記載の方法。
［Ｃ１２］
前記物理ダウンリンク制御チャネル（ＰＤＣＣＨ）の分散は経時的にホップで生じる、請求項１に記載の方法。
［Ｃ１３］
同時に２つ以上のキャリアをモニタする必要を回避する前記制約にアクセスすること、をさらに備える請求項１に記載の方法。
［Ｃ１４］
前記デコーディング候補を、シングルキャリアに可能なデコーディング候補の数に対応する数に制限する前記制約にアクセスすること、をさらに備える請求項１に記載の方法。
［Ｃ１５］
シングルキャリアのデコーディング候補のより下の数Ｌと、前記シングルキャリアのより下の数Ｌとモニタされた複数のキャリアＭの数との積に等しいより上の数Ｕと、の範囲内で、前記デコーディング候補を合計数Ｎに制限する前記制約にアクセスすること、をさらに備える請求項１に記載の方法。
［Ｃ１６］
キャリアにわたって均一に分散される前記デコーディング候補の縮小セットをモニタすること、をさらに備える請求項１に記載の方法。
［Ｃ１７］
キャリアにわたって非均一に分散される前記デコーディング候補の縮小セットをモニタすること、をさらに備える請求項１に記載の方法。
［Ｃ１８］
シングルキャリアに対応するデコーディング候補の合計数を有するように前記複数のキャリアを制限する前記制約にアクセスすること、をさらに備える請求項１に記載の方法。
［Ｃ１９］
ブロードキャスト、マルチキャスト、またはユニキャスト情報を受信するために無線通信システムにおいて物理ダウンリンク制御チャネル（ＰＤＣＣＨ）をモニタするためのコンピュータプログラムプロダクトであって、
コンピュータに、複数のキャリア上で分散されるデコーディング候補のマッピングを制限する物理ダウンリンク制御チャネル（ＰＤＣＣＨ）についての制約にアクセスさせるための第１セットの命令と、
前記コンピュータに、前記制約にしたがって、デコーディング候補の縮小セットをモニタさせるための第２セットの命令と、
前記コンピュータに、前記デコーディング候補の縮小セットをブラインドデコードさせるための第３セットの命令と、
を備える、少なくとも１つのプロセッサによって実行されるときにコンポーネントをインプリメントするコンピュータ実行可能命令、を格納する少なくとも１つのコンピュータ読取可能記録媒体、
を備えるコンピュータプログラムプロダクト。
［Ｃ２０］
ブロードキャスト、マルチキャスト、またはユニキャスト情報を受信するために無線通信システムにおいて物理ダウンリンク制御チャネル（ＰＤＣＣＨ）をモニタするための装置であって、
少なくとも１つのプロセッサと；
複数のキャリア上で分散されるデコーディング候補のマッピングを制限する物理ダウンリンク制御チャネル（ＰＤＣＣＨ）についての制約にアクセスするための手段と、
前記制約にしたがって、デコーディング候補の縮小セットをモニタするための手段と、
前記デコーディング候補の縮小セットをブラインドデコードするための手段と、
を備える、少なくとも１つのプロセッサによって実行されるときにコンポーネントをインプリメントするコンピュータ実行可能命令、を格納する少なくとも１つのコンピュータ読取可能記録媒体と；
を備える装置。
［Ｃ２１］
ブロードキャスト、マルチキャスト、またはユニキャスト情報を受信するために無線通信システムにおいて物理ダウンリンク制御チャネル（ＰＤＣＣＨ）をモニタするための装置であって、
複数のキャリア上で分散されるデコーディング候補のマッピングを制限する物理ダウンリンク制御チャネル（ＰＤＣＣＨ）についての制約にアクセスするためのコンピューティングプラットフォームと、
前記制約にしたがって、デコーディング候補の縮小セットをモニタするための受信機と、
前記デコーディング候補の縮小セットをブラインドデコードするためのデコーダと、
を備える装置。
［Ｃ２２］
前記コンピューティングプラットフォームはさらに、前記複数のキャリアのうちの選択された少なくとも１つに関する分散を、共通サーチスペースとユーザ機器専用サーチスペースのうちの選択された１つに制限する前記制約にアクセスするためのものである、請求項２１に記載の装置。
［Ｃ２３］
前記コンピューティングプラットフォームはさらに、前記複数のキャリアのうちの選択された少なくとも１つに関する分散を、サーチスペースのための選択されたサブセットのアグリゲーションレベルに制限する前記制約にアクセスするためのものである、請求項２１に記載の装置。
［Ｃ２４］
前記コンピューティングプラットフォームはさらに、前記複数のキャリアのうちの選択された少なくとも１つに関する分散を、サーチスペースとアグリゲーションレベルに関して選択されたサブセットのデコーディング候補に制限する前記制約にアクセスするためのものである、請求項２１に記載の装置。
［Ｃ２５］
前記コンピューティングプラットフォームはさらに、ユーザ機器ベースでデコーディング候補を分散させる前記制約にアクセスするためのものである、請求項２１に記載の装置。
［Ｃ２６］
前記コンピューティングプラットフォームはさらに、セルあたりのベースでデコーディング候補を分散させる前記制約にアクセスするためのものである、請求項２１に記載の装置。
［Ｃ２７］
前記コンピューティングプラットフォームはさらに、サブフレームインデクスに基づいて分散を導き出すことによって前記制約にアクセスするためのものである、請求項２１に記載の装置。
［Ｃ２８］
前記コンピューティングプラットフォームはさらに、ランダムシードに基づいて分散を導き出すことによって前記制約にアクセスするためのものである、請求項２１に記載の装置。
［Ｃ２９］
前記コンピューティングプラットフォームはさらに、ユーザ機器識別子、セル識別子、サブフレーム、インデクス、またはランダムシードに基づいてデコーディング候補を分散させる前記制約にアクセスするためのものである、請求項２１に記載の装置。
［Ｃ３０］
前記コンピューティングプラットフォームはさらに、ユーザ機器識別子、セル識別子、サブフレームインデクス、第１のランダムシード、および第２のランダムシードから成るグループから選択される少なくとも２つの特性によってデコーディング候補を分散させる前記制約にアクセスするためのものである、請求項２１に記載の装置。
［Ｃ３１］
前記物理ダウンリンク制御チャネル（ＰＤＣＣＨ）の分散は半静的に生じる、請求項２１に記載の装置。
［Ｃ３２］
前記物理ダウンリンク制御チャネル（ＰＤＣＣＨ）の分散は経時的にホップで生じる、請求項２１に記載の装置。
［Ｃ３３］
前記コンピューティングプラットフォームはさらに、同時に２つ以上のキャリアをモニタする必要を回避する前記制約にアクセスするためのものである、請求項２１に記載の装置。
［Ｃ３４］
前記コンピューティングプラットフォームはさらに、前記デコーディング候補を、シングルキャリアに可能なデコーディング候補の数に対応する数に制限する前記制約にアクセスするためのものである、請求項２１に記載の装置。
［Ｃ３５］
前記コンピューティングプラットフォームは、シングルキャリアのデコーディング候補のより下の数Ｌと、前記シングルキャリアのより下の数Ｌとモニタされた複数のキャリアＭの数との積に等しいより上の数Ｕと、の範囲内で、前記デコーディング候補を合計数Ｎに制限する前記制約にアクセスするためのものである、請求項２１に記載の装置。
［Ｃ３６］
前記受信機は、キャリアにわたって均一に分散される前記デコーディング候補の縮小セットをモニタするためのものである、請求項２１に記載の装置。
［Ｃ３７］
前記受信機は、キャリアにわたって非均一に分散される前記デコーディング候補の縮小セットをモニタするためのものである、請求項２１に記載の装置。
［Ｃ３８］
前記コンピューティングプラットフォームはさらに、シングルキャリアに対応するデコーディング候補の合計数を有するように前記複数のキャリアを制限する前記制約にアクセスするためのものである、請求項２１に記載の方法。
［Ｃ３９］
ブロードキャスト、マルチキャスト、またはユニキャスト情報を送信するために無線通信システムにおいて物理ダウンリンク制御チャネルを送信するための方法であって、
複数のキャリア上で分散されるデコーディング候補のマッピングを制限する物理ダウンリンク制御チャネル（ＰＤＣＣＨ）についての制約にアクセスする動作と、
前記制約にしたがって前記複数のキャリア上で物理ダウンリンク制御チャネル（ＰＤＣＣＨ）をマッピングする動作と、
デコーディング候補の縮小セットを使用してブラインドデコードするためにユーザ機器（ＵＥ）についてマッピングされているものとして物理ダウンリンク制御チャネル（ＰＤＣＣＨ）をエンコードし送信する動作と、
をインプリメントするコンピュータ読取可能記録媒体上で格納されたコンピュータ実行可能命令を実行するプロセッサを利用すること、
を備える方法。
［Ｃ４０］
ブロードキャスト、マルチキャスト、またはユニキャスト情報を送信するために無線通信システムにおいて物理ダウンリンク制御チャネルを送信するためのコンピュータプログラムプロダクトであって、
コンピュータに、複数のキャリア上で分散されるデコーディング候補のマッピングを制限する物理ダウンリンク制御チャネル（ＰＤＣＣＨ）についての制約にアクセスさせるための第１セットの命令と、
前記コンピュータに、前記制約にしたがって前記複数のキャリア上で物理ダウンリンク制御チャネル（ＰＤＣＣＨ）をマッピングさせるための第２セットの命令と、
前記コンピュータに、デコーディング候補の縮小セットを使用してブラインドデコードするためにユーザ機器（ＵＥ）についてマッピングされているものとして物理ダウンリンク制御チャネル（ＰＤＣＣＨ）をエンコードさせ送信させるための第３セットの命令と、
を備える、少なくとも１つのプロセッサによって実行されるときにコンポーネントをインプリメントするコンピュータ実行可能命令、を格納する少なくとも１つのコンピュータ読取可能記録媒体、
を備えるコンピュータプログラムプロダクト。
［Ｃ４１］
ブロードキャスト、マルチキャスト、またはユニキャスト情報を送信するために無線通信システムにおいて物理ダウンリンク制御チャネルを送信するための装置であって、
少なくとも１つのプロセッサと、
複数のキャリア上で分散されるデコーディング候補のマッピングを制限する物理ダウンリンク制御チャネル（ＰＤＣＣＨ）についての制約にアクセスするための手段と、
前記制約にしたがって前記複数のキャリア上で前記物理ダウンリンク制御チャネル（ＰＤＣＣＨ）をマッピングするための手段と、
デコーディング候補の縮小セットを使用してブラインドデコードするためにユーザ機器（ＵＥ）についてマッピングされているものとして前記物理ダウンリンク制御チャネル（ＰＤＣＣＨ）をエンコードし送信するための手段と、
を備える、少なくとも１つのプロセッサによって実行されるときにコンポーネントをインプリメントするコンピュータ実行可能命令、を格納する少なくとも１つのコンピュータ読取可能記録媒体、
を備える装置。
［Ｃ４２］
ブロードキャスト、マルチキャスト、またはユニキャスト情報を送信するために無線通信システムにおいて物理ダウンリンク制御チャネルを送信するための装置であって、
複数のキャリア上で分散されるデコーディング候補のマッピングを制限する物理ダウンリンク制御チャネル（ＰＤＣＣＨ）についての制約にアクセスするためのコンピューティングプラットフォームと、
前記制約にしたがって前記複数のキャリア上で前記物理ダウンリンク制御チャネル（ＰＤＣＣＨ）をマッピングしエンコードするための、マッピング／エンコーダと、
デコーディング候補の縮小セットを使用してブラインドデコードするためにユーザ機器（ＵＥ）についてマッピングされエンコードされているものとして物理ダウンリンク制御チャネル（ＰＤＣＣＨ）を送信するための送信機と、
備える装置。
［Ｃ４３］
前記コンピューティングプラットフォームはさらに、前記複数のキャリアのうちの選択された少なくとも１つに関する分散を、共通のサーチスペースとユーザ機器特有のサーチスペースのうちの選択された１つに制限する前記制約にアクセスするためである、請求項４２に記載の装置。
［Ｃ４４］
前記コンピューティングプラットフォームはさらに、前記複数のキャリアのうちの選択された少なくとも１つに関する分散を、サーチスペースのための選択されたサブセットのアグリゲーションレベルに制限する前記制約にアクセスするためである、請求項４２に記載の装置。
【図１】
0005960222.tif 000002
【図２】
0005960222.tif 000003
【図３】
0005960222.tif 000004
【図４】
0005960222.tif 000005
【図５】
0005960222.tif 000006
【図６】
0005960222.tif 000007
【図７】
0005960222.tif 000008
【図８】
0005960222.tif 000009
【図９】
0005960222.tif 000010
【図１０Ａ】
0005960222.tif 000011
【図１０Ｂ】
0005960222.tif 000012
【図１１Ａ】
0005960222.tif 000013
【図１１Ｂ】
0005960222.tif 000014